(57)【要約】【課題】書き込みが必要な部位のみに確実に書き込むことができ、高い表示コントラストを発揮することのできる表示装置、書き込み装置および電子機器を提供すること。【解決手段】表示装置１は、電圧が印加または電流が供給されることにより表示がなされる表示層３と、表示層３の一方側に設けられた共通電極９３と、前記表示層３の他方側に前記表示層３に対して接近・離間可能に設けられ、前記共通電極９３との間で前記表示層３の一部の領域に電圧を印加または電流を供給することができる少なくとも１つの部分電極９１１と、前記共通電極９３および前記部分電極９１１間に電圧を印加または電流を供給する駆動手段と、前記部分電極９１１を、前記部分電極９１１が前記表示層３に接触した第１の位置と、前記部分電極９１１が前記表示層３から離間した第２の位置とに移動させる移動手段とを備える。【選択図】図４
2010102127.tif 000002
【特許請求の範囲】
【請求項１】
電圧が印加または電流が供給されることにより表示がなされる表示層と、
前記表示層の一方側に設けられた共通電極と、
前記表示層の他方側に前記表示層に対して接近・離間可能に設けられ、前記共通電極との間で前記表示層の一部の領域に電圧を印加または電流を供給することができる少なくとも１つの部分電極と、
前記共通電極および前記部分電極間に電圧を印加または電流を供給する駆動手段と、
前記部分電極を、前記部分電極が前記表示層に接触した第１の位置と、前記部分電極が前記表示層から離間した第２の位置とに移動させる移動手段とを備えることを特徴とする表示装置。
【請求項２】
前記表示層は、正に帯電する正帯電粒子および負に帯電する負帯電粒子の少なくとも一方を含む粒子群を移動可能に収容する複数の収容部が配列されたものである請求項１に記載の表示装置。
【請求項３】
前記表示層は、その少なくとも一方の面側に絶縁層を有する請求項１または２に記載の表示装置。
【請求項４】
前記移動手段は、流体圧で、前記部分電極を前記表示層に押し付け、前記第１の位置に移動させるよう構成されている請求項１ないし３のいずれかに記載の表示装置。
【請求項５】
前記移動手段は、前記部分電極を前記第２の位置に向けて付勢する付勢手段を有する請求項１ないし４のいずれかに記載の表示装置。
【請求項６】
前記部分電極を先端部に有する電極ピンを備え、前記電極ピンごと移動する請求項１ないし５のいずれかに記載の表示装置。
【請求項７】
前記部分電極は、線状に複数設けられており、
前記部分電極が並んでいる方向に対して垂直な方向に前記表示層が移動して前記表示層への書き込みを行なうよう構成されている請求項１ないし６のいずれかに記載の表示装置。
【請求項８】
前記部分電極は、行列状に複数設けられ、前記表示層の全面または一部の領域に対面する請求項１ないし６のいずれかに記載の表示装置。
【請求項９】
電圧が印加または電流が供給されることにより表示がなされる表示層を有する表示シートを支持する支持部と、
前記支持部に支持された前記表示シートの一方側に設けられた共通電極と、
前記表示シートの他方側に前記表示層に対して接近・離間可能に設けられ、前記共通電極との間で前記表示層の一部の領域に電圧を印加または電流を供給することができる少なくとも１つの部分電極と、
前記共通電極および前記部分電極間に電圧を印加または電流を供給する駆動手段と、
前記部分電極を、前記部分電極が前記表示シートに接触した第１の位置と、前記部分電極が前記表示シートから離間した第２の位置とに移動させる移動手段とを備えることを特徴とする書き込み装置。
【請求項１０】
電圧が印加または電流が供給されることにより表示がなされる表示層と、前記表示層の一方側に設けられた共通電極とを有する表示シートを支持する支持部と、
前記支持部に支持された前記表示シートの前記表示層の他方側に前記表示層に対して接近・離間可能に設けられ、前記共通電極との間で前記表示層の一部の領域に電圧を印加または電流を供給することができる少なくとも１つの部分電極と、
前記共通電極および前記部分電極間に電圧を印加または電流を供給する駆動手段と、
前記部分電極を、前記部分電極が前記表示シートに接触した第１の位置と、前記部分電極が前記表示シートから離間した第２の位置とに移動させる移動手段とを備えることを特徴とする書き込み装置。
【請求項１１】
請求項１ないし８のいずれかに記載の表示装置を備えることを特徴とする電子機器。
【発明の詳細な説明】
【技術分野】
【０００１】
本発明は、表示装置、書き込み装置および電子機器に関するものである。
【背景技術】
【０００２】
例えば、電子ペーパーの画像表示部を構成するものとして、粒子の電気泳動を利用した電気泳動ディスプレイが知られている（例えば、特許文献１参照）。電気泳動ディスプレイは、優れた可搬性および省電力性を有していて、電子ペーパーの画像表示部として、特に適している。
特許文献１には、共通電極基板と、電気泳動層と、画素電極基板とがこの順で積層した構成をなす電気泳動表示装置が開示されている。電気泳動層は、平面状に配置された複数のマイクロカプセルがバインダによって保持されることにより構成され、各マイクロカプセル内には、電気泳動粒子が封入されている。また、共通電極基板は、基板上に共通電極が形成されたものであり実質的に透明である。画素基板電極も、基板上に複数の個別電極が形成されたものである。
【０００３】
特許文献１に記載の電気泳動表示装置は、共通電極および個別電極間に電圧を印加し、当該電圧印加により発生する磁界の作用により電気泳動粒子を泳動させることにより、共通電極基板を介して視認される表示色や、文字、模様などの画像を変更するように構成されている。
しかしながら、このような電気泳動表示装置においては、装置外部から電気泳動層に導かれる入射光の一部および電気泳動層で反射した反射光の一部が、それぞれ、共通電極基板（基板および共通電極）で吸収されてしまい、その分、表示コントラストが低下するという問題がある。
また、画像表示部に駆動回路等が電気的に接続されており、画像表示部のみを取り外すことはできない。
【０００４】
【特許文献１】特開２００７−５８１５１号公報
【発明の開示】
【発明が解決しようとする課題】
【０００５】
本発明の目的は、表示シートのみを取り外すことができ、書き込みが必要な部位のみに確実に書き込むことができ、高い表示コントラストを発揮することのできる表示装置、書き込み装置および電子機器を提供することにある。
【課題を解決するための手段】
【０００６】
このような目的は、下記の本発明により達成される。
本発明の表示装置は、電圧が印加または電流が供給されることにより表示がなされる表示層と、
前記表示層の一方側に設けられた共通電極と、
前記表示層の他方側に前記表示層に対して接近・離間可能に設けられ、前記共通電極との間で前記表示層の一部の領域に電圧を印加または電流を供給することができる少なくとも１つの部分電極と、
前記共通電極および前記部分電極間に電圧を印加または電流を供給する駆動手段と、
前記部分電極を、前記部分電極が前記表示層に接触した第１の位置と、前記部分電極が前記表示層から離間した第２の位置とに移動させる移動手段とを備えることを特徴とする。
これにより、表示シートのみを取り外すことができ、書き込み（書き換えも含む）が必要な部位のみに確実に書き込むことができ、高い表示コントラストを発揮することのできる表示装置を提供することができる。
【０００７】
本発明の表示装置では、前記表示層は、正に帯電する正帯電粒子および負に帯電する負帯電粒子の少なくとも一方を含む粒子群を移動可能に収容する複数の収容部が配列されたものであることが好ましい。
これにより、書き換込みが必要な部位に位置する粒子群のみを確実に移動させることができる。
【０００８】
本発明の表示装置では、前記表示層は、その少なくとも一方の面側に絶縁層を有することが好ましい。
これにより、表示層を保護することができる。
本発明の表示装置では、  前記移動手段は、流体圧で、前記部分電極を前記表示層に押し付け、前記第１の位置に移動させるよう構成されていることが好ましい。
これにより、電極ピンを確実に表示層側に接触（密着）させることができる。
【０００９】
本発明の表示装置では、前記移動手段は、前記部分電極を前記第２の位置に向けて付勢する付勢手段を有することが好ましい。
これにより、電極ピンを確実に第２の位置に保持することができる。
本発明の表示装置では、前記部分電極を先端部に有する電極ピンを備え、前記電極ピンごと移動することが好ましい。
これにより、部分電極が安定的に移動することができる。
【００１０】
本発明の表示装置では、前記部分電極は、線状に複数設けられており、
前記部分電極が並んでいる方向に対して垂直な方向に前記表示層が移動して前記表示層への書き込みを行なうよう構成されていることが好ましい。
これにより、書き込みを短時間で行なうことができる。
本発明の表示装置では、前記部分電極は、行列状に複数設けられ、前記表示層の全面または一部の領域に対面することが好ましい。
これにより、書き込みを短時間で行なうことができる。
【００１１】
本発明の書き込み装置は、電圧が印加または電流が供給されることにより表示がなされる表示層を有する表示シートを支持する支持部と、
前記支持部に支持された前記表示シートの一方側に設けられた共通電極と、
前記表示シートの他方側に前記表示層に対して接近・離間可能に設けられ、前記共通電極との間で前記表示層の一部の領域に電圧を印加または電流を供給することができる少なくとも１つの部分電極と、
前記共通電極および前記部分電極間に電圧を印加または電流を供給する駆動手段と、
前記部分電極を、前記部分電極が前記表示シートに接触した第１の位置と、前記部分電極が前記表示シートから離間した第２の位置とに移動させる移動手段とを備えることを特徴とする。
これにより、書き込みが必要な部位のみに確実に書き込むことができ、高い表示コントラストを発揮することのできる書き込み装置を提供することができる。
【００１２】
本発明の書き込み装置は、電圧が印加または電流が供給されることにより表示がなされる表示層と、前記表示層の一方側に設けられた共通電極とを有する表示シートを支持する支持部と、
前記支持部に支持された前記表示シートの前記表示層の他方側に前記表示層に対して接近・離間可能に設けられ、前記共通電極との間で前記表示層の一部の領域に電圧を印加または電流を供給することができる少なくとも１つの部分電極と、
前記共通電極および前記部分電極間に電圧を印加または電流を供給する駆動手段と、
前記部分電極を、前記部分電極が前記表示シートに接触した第１の位置と、前記部分電極が前記表示シートから離間した第２の位置とに移動させる移動手段とを備えることを特徴とする。
これにより、書き込みが必要な部位のみに確実に書き込むことができ、高い表示コントラストを発揮することのできる書き込み装置を提供することができる。
本発明の電子機器は、本発明の表示装置を備えることを特徴とする。
これにより、高い表示コントラストを発揮することのできる電子機器を提供することができる。
【発明を実施するための最良の形態】
【００１３】
以下、本発明の表示装置、書き込み装置および電子機器を添付図面に示す好適実施形態に基づいて詳細に説明する。なお、以下では、本発明の表示装置を電気泳動表示装置に適用した場合について説明する。
＜電気泳動表示装置＞
≪第１実施形態≫
まず、本発明の表示装置（電気泳動表示装置）の第１実施形態について説明する。
図１は、本発明の表示装置（電気泳動表示装置）の第１実施形態を模式的に示す側面図、図２は、図１に示す表示装置の表示シートの断面図、図３は、図１に示す表示シートの作動を説明するための図、図４は、図１に示す表示装置の書き込み装置の主要部を示す断面図、図５は、図１に示す表示装置の書き込み装置の作動を説明するための図である。
【００１４】
なお、以下では、説明の都合上、図１〜図３中の上側を「上」、下側を「下」、右側を「右」、左側を「左」とし、図４および図５中の上側を「上」または「基端」、下側を「下」または「先端」、右側を「右」、左側を「左」として説明を行う。また、図４および図５では、図が煩雑になるのを避けるため、電極ピンは、２つ記載されており、また、表示シートの上絶縁層および下絶縁層は、図示されていない。
図１に示すように、電気泳動表示装置（表示装置）１は、表示シート（表示部）２と、書き込み装置８とを有している。以下、これらの構成について、順次、詳細に説明する。
【００１５】
−表示シート２−
表示シート２は、電気泳動粒子の電気泳動を利用して画像の表示を行う電気泳動表示シートである。
図２に示すように、この表示シート２は、表示層３を有しており、表示層３は、マイクロカプセル含有層３０と、マイクロカプセル含有層３０の上面に設けられた上側絶縁層３５と、マイクロカプセル含有層３０の下面に設けられた下側絶縁層３６とで構成されている。表示シート２では、上側絶縁層３５が表示面２１を構成しており、上側絶縁層３５を介してマイクロカプセル含有層３０を視認することにより、所定の画像を認識することができるようになっている。
【００１６】
マイクロカプセル含有層３０は、複数のマイクロカプセル３１がバインダ３２で固定（保持）されることにより構成されている。また、複数のマイクロカプセル３１は、上側絶縁層３５と下側絶縁層３６との間に、縦横に並列するように単層で（厚さ方向に重なることなく１個ずつ）配設されている。なお、マイクロカプセル含有層３０は、複数のマイクロカプセル３１が１列に配列されているもの（すなわち１次元的な配置のもの）であってもよい。
【００１７】
本実施形態では、各マイクロカプセル３１は、球形状をなしている。これにより、マイクロカプセル３１は、耐圧性および耐ブリード性に優れたものとなる。したがって、表示シート２を作動させているとき、もしくは、表示シート２を保存している間に、表示シート２に衝撃が加わったり、表示面が押圧されたりした場合でも、マイクロカプセル３１の破壊や電気泳動分散液の散逸が防止され、長期間安定に動作することができる。
【００１８】
マイクロカプセル３１の平均粒径は、１０〜６０μｍ程度であるのが好ましく、２０〜４０μｍ程度であるのがより好ましい。マイクロカプセル３１の平均粒径を前記範囲とすることにより、電気泳動表示装置１において正帯電粒子Ａおよび負帯電粒子Ｂの電気泳動をより確実に制御することができるようになる。
なお、マイクロカプセル３１の形状は、球形状には限定されず、例えば、上側絶縁層３５と下側絶縁層３６とで挟持されることにより、上下方向に圧縮され、水平方向に拡がって扁平形状となっていてもよい。
【００１９】
各マイクロカプセル３１は、カプセル本体（殻体）（収容部）３１１を有しており、その内部（内部空間）には、電気泳動分散液が充填されている。
カプセル本体３１１の構成材料としては、例えば、ゼラチン、アラビアゴムとゼラチンとの複合材料、ウレタン系樹脂、メラミン系樹脂、尿素樹脂、エポキシ系樹脂、フェノール系樹脂、アクリル系樹脂、ウレタン系樹脂、オレフィン系樹脂、ポリアミド、ポリエーテルのような各種樹脂材料が挙げられ、これらのうち１種または２種以上を組み合わせて用いることができる。
【００２０】
また、カプセル本体３１１は、複数の層の積層体で構成されていてもよい。この場合、最内層の構成材料としては、メラミン系樹脂、尿素樹脂のようなアミノ樹脂、またはこれらの複合樹脂等が好ましく用いられる。一方、最外層の構成材料としては、エポキシ系樹脂が好ましく用いられる。
カプセル本体３１１内に充填（封入）された電気泳動分散液は、正帯電粒子Ａと、負帯電粒子Ｂとを液相分散媒６に分散（懸濁）してなるものである。正帯電粒子Ａおよび負帯電粒子Ｂの液相分散媒６への分散は、例えば、ペイントシェーカー法、ボールミル法、メディアミル法、超音波分散法、撹拌分散法等のうちの１種または２種以上を組み合わせて行うことができる。
【００２１】
液相分散媒６としては、例えば、ベンゼン系炭化水素などの芳香族炭化水素類、ｎ−ヘキサン、ｎ−デカンなどのパラフィン系炭化水素、アイソパー（Ｉｓｏｐａｒ、エクソン化学社製）などのイソパラフィン系炭化水素、１−オクテン、１−デセンなどのオレフィン系炭化水素、ナフテン系炭化水素などの脂肪族炭化水素類、ケロシン、石油エーテル、石油ベンジン、リグロイン、工業ガソリン、石油ナフサなどの石油や石油由来の炭化水素混合物、ジクロロメタン、クロロホルムなどのハロゲン化炭化水素類、ジメチルシリコーンオイル、メチルフェニルシリコーンオイルなどのシリコーンオイル類（有機シリコーンオイル類）、ハイドロフルオロエーテルなどのフッ素系溶剤（有機フッ素系溶剤）等が好ましく用いられる。また、これらの中でも、粘度の調整を容易に行うことができる点から、有機シリコーンオイル類がより好ましく用いられる。
【００２２】
次いで、正帯電粒子Ａおよび負帯電粒子Ｂについて説明する。
正帯電粒子Ａは、白色をなし、正に帯電する電気泳動粒子である。また、負帯電粒子Ｂは、黒色をなし、負に帯電する電気泳動粒子である。このように、白色の正帯電粒子Ａと黒色の負帯電粒子Ｂとを用いることにより、表示シート２の白黒表示が可能となり、表示シート２の表示コントラストが向上する。
【００２３】
なお、本実施形態では、正帯電粒子Ａとして白色の粒子を用い、負帯電粒子Ｂとして黒色の粒子を用いているが、正帯電粒子Ａおよび負帯電粒子Ｂの色としては、互いに異なっていれば特に限定されず、それぞれ、例えば、赤色、青色、緑色などの有彩色や、金色、銀色等の金属光沢色から目的に合わせて適宜選択することができる。
また、正帯電粒子Ａおよび負帯電粒子Ｂの色の組み合わせとしても、上記のものに限定されず、例えば、正帯電粒子Ａが黒色、負帯電粒子Ｂが白色である組み合わせや、正帯電粒子Ａが青色、負帯電粒子Ｂが赤色である組み合わせや、正帯電粒子Ａが金色、負帯電粒子Ｂが銀色である組み合わせであってもよい。
【００２４】
以上のような正帯電粒子Ａおよび負帯電粒子Ｂには、それぞれ、電荷を有するものであれば、いかなるものをも用いることができ、特に限定はされないが、顔料粒子、樹脂粒子またはこれらの複合粒子のうちの少なくとも１種が好適に使用される。これらの粒子は、製造が容易であるとともに、帯電量の制御を比較的容易に行うことができるという利点を有している。
【００２５】
顔料粒子を構成する顔料としては、例えば、アニリンブラック、カーボンブラック、チタンブラック等の黒色顔料、酸化チタン、酸化アンチモン等の白色顔料、モノアゾ等のアゾ系顔料、イソインドリノン、黄鉛等の黄色顔料、キナクリドンレッド、クロムバーミリオン等の赤色顔料、フタロシアニンブルー、インダスレンブルー等の青色顔料、フタロシアニングリーン等の緑色顔料等が挙げられ、これらのうち１種または２種以上を組み合わせて用いることができる。
【００２６】
このうち、顔料粒子としては、酸化チタン粒子が白色の粒子（本実施形態では正帯電粒子Ａ）として好適に用いられ、チタンブラック粒子が黒色の粒子（本実施形態では負帯電粒子Ｂ）として好適に用いられる。これらの粒子は、電界に対する応答性が高く、また、反射率の差が大きいことから、表示シート２の高コントラスト表示を可能にするものである。
【００２７】
また、樹脂粒子を構成する樹脂材料としては、例えば、アクリル系樹脂、ウレタン系樹脂、尿素系樹脂、エポキシ系樹脂、ポリスチレン、ポリエステル等が挙げられ、これらのうちの１種または２種以上を組み合わせて用いることができる。
また、複合粒子としては、例えば、顔料粒子の表面を樹脂材料や他の顔料で被覆したもの、樹脂粒子の表面を顔料で被覆したもの、顔料と樹脂材料とを適当な組成比で混合した混合物で構成される粒子等が挙げられる。
【００２８】
顔料粒子の表面を他の顔料で被覆した粒子としては、例えば、酸化チタン粒子の表面を、酸化珪素や酸化アルミニウムで被覆したものを例示することができる。
また、正帯電粒子Ａおよび負帯電粒子Ｂの形状は、それぞれ、特に限定されないが、球形状であるのが好ましい。
正帯電粒子Ａおよび負帯電粒子Ｂは、それぞれ、液相分散媒６中での分散性を考慮した場合、より小さいものが好適に用いられ、具体的には、その平均粒径が、１０〜５００ｎｍ程度であるのが好ましく、２０〜３００ｎｍ程度であるのがより好ましい。正帯電粒子Ａおよび負帯電粒子Ｂの平均粒径を前記範囲とすることにより、正帯電粒子Ａと負帯電粒子Ｂの凝集や、正帯電粒子Ａや負帯電粒子Ｂの沈降を防止することができ、正帯電粒子Ａおよび負帯電粒子Ｂを液相分散媒６中に分散させた状態を維持することができる。その結果、電気泳動表示装置１の表示品質の劣化を好適に防止することができる。
【００２９】
なお、本実施形態のように２種の異なる粒子（正帯電粒子Ａおよび負帯電粒子Ｂ）を用いる場合、２種の粒子の平均粒径を異ならせること、特に、白色の正帯電粒子Ａの平均粒径を黒色の負帯電粒子Ｂの平均粒径より大きく設定するのが好ましい。これにより、電気泳動表示装置１の表示コントラストをより向上させることや、保持特性を向上させることができる。具体的には、黒色の負帯電粒子Ｂの平均粒径を２０〜１００ｎｍ程度、白色の正帯電粒子Ａの平均粒径を１５０〜３００ｎｍ程度とするのが好ましい。
【００３０】
また、正帯電粒子Ａおよび負帯電粒子Ｂの比重は、それぞれ、液相分散媒６の比重とほぼ等しくなるように設定されているのが好ましい。これにより、正帯電粒子Ａおよび負帯電粒子Ｂは、後述する電界の作用を受けた後においても、液相分散媒６中において一定の位置に長時間滞留することができる。
バインダ３２は、例えば、上側絶縁層３５と下側絶縁層３６とを接合する目的、上側絶縁層３５と下側絶縁層３６との間に各マイクロカプセル３１を固定する目的等により供給される。これにより、表示シート２の耐久性および信頼性をより向上させることができる。
【００３１】
このバインダ３２には、上側絶縁層３５、下側絶縁層３６およびカプセル本体３１１との親和性（密着性）に優れ、かつ、絶縁性に優れる樹脂材料が好適に使用される。
このようなバインダ３２としては、例えば、ポリアクリロニトリル、ポリエチレン、ポリプロピレン、ポリエチレンテレフタレート、ポリカーボネート、ナイロン６６、ポリウレタン等のウレタン系樹脂、エポキシド、ポリイミド、ＡＢＳ樹脂、ポリ酢酸ビニル、ポリメタクリル酸メチル、ポリメタクリル酸エチル、ポリメタクリル酸ブチル、ポリメタクリル酸オクチル等のメタクリル酸エステル樹脂、塩化ビニル樹脂、セルロース系樹脂、シリコーン系樹脂、エチレン−酢酸ビニル共重合物等の各種樹脂材料が挙げられ、これらのうちの１種または２種以上を組み合わせて用いることができる。
【００３２】
マイクロカプセル含有層３０を介して対向配置された上側絶縁層３５および下側絶縁層３６は、それぞれ、絶縁性を有するシート状（平板状）の部材で構成されている。このような一対の絶縁層３５、３６は、マイクロカプセル含有層３０（マイクロカプセル３１）を保護する機能を有している。
上側絶縁層３５は、表示面２１を構成するために光透過性を有するもの、すなわち、実質的に透明（無色透明、有色透明または半透明）とされる。これにより、表示面２１側から、マイクロカプセル含有層３０の状態（各マイクロカプセル３１中の電気泳動粒子Ａ、Ｂの状態）、すなわち表示シート２に表示された画像（情報）を目視により認識することができる。
下側絶縁層３６については、上側絶縁層３５のような光透過性の有無は問わない。
【００３３】
各絶縁層３５、３６は、それぞれ、可撓性を有するもの、硬質なもののいずれであってもよいが、可撓性を有するものであるのが好ましい。可撓性を有する絶縁層３５、３６を用いることにより、可撓性を有する表示シート２を得ることができる。
各絶縁層３５、３６は、書き込み装置８が備える後述する共通電極９３および部分電極（個別電極）９１１間に電圧を印加した際に、電流のリークパスを形成することのないような、十分に高い抵抗成分（抵抗値）を有していることが好ましい。
【００３４】
各絶縁層３５、３６の抵抗値としては、共通電極９３および部分電極９１１間に印加される電圧の強さによっても異なるが、５〜２０ＧΩであることが好ましく、１０〜１５ＧΩであることがより好ましい。これにより、上述のような電流のリークを効果的に防止することができ、表示シート２を安定して駆動させることができる。
上側絶縁層３５の厚さ（平均厚さ）は、上側絶縁層３５の誘電率εによっても異なるが、１〜３００μｍ程度であるのが好ましく、２５〜２００μｍ程度であるのがより好ましい。これにより、表示シート２の柔軟性と強度との調和を図りつつ、表示シート２の小型化（薄型化）を図ることができる。下側絶縁層３６の厚さについても、上側絶縁層３５と同様である。
【００３５】
各絶縁層３５、３６を可撓性を有するものとする場合、その構成材料としては、それぞれ、例えば、ポリエチレン等のポリオレフィン、変性ポリオレフィン、ポリアミド、熱可塑性ポリイミド、ポリエーテル、ポリエーテルエーテルケトン、ポリウレタン系、塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。
上側絶縁層３５と下側絶縁層３６との間には、それらの縁部に沿うようにして封止部７が設けられている。この封止部７により、マイクロカプセル含有層３０が気密的に封止されている。これにより、表示シート２内への水分の浸入を防止して、表示シート２の表示性能の劣化をより確実に防止することができる。
【００３６】
封止部７の構成材料としては、例えば、アクリル系樹脂、ウレタン系樹脂、オレフィン系樹脂のような熱可塑性樹脂、エポキシ系樹脂、メラミン系樹脂、フェノール系樹脂のような熱硬化性樹脂等の各種樹脂材料等が挙げられ、これらのうちの１種または２種以上を組み合わせて用いることができる。この封止部は、必要に応じて設ければよく、省略することもできる。
なお、前記表示シート２において、上側絶縁層３５または下側絶縁層３６を省略してもよく、また、上側絶縁層３５および下側絶縁層３６を省略してもよく、また、例えば、他の層や基板等が設けられていてもよい。
【００３７】
−書き込み装置８−
書き込み装置８は、表示シート２に所望の画像（模様、色彩、文字、絵、またはこれらの組み合わせ等）を書き込む際に使用する装置である。表示シート２に画像の書き込み（書き換えも含む）を行なう際は、表示シート２は、書き込み装置８にセットされ、表示シート２への画像の書き込みが完了した後は、表示シート２は、書き込み装置８から取り外される（取り出される）こととなる。
【００３８】
図１および図４に示すように、書き込み装置８は、本実施形態では、ローラで表示シート２を移動させるラインタイプの装置であり、右側（上流側）に設置された１対のローラ８１、８２と、左側（下流側）に設置された１対のローラ８３、８４と、これらの間に設置されたヘッド部（書き込み部）９とを有している。また、書き込み装置８は、ヘッド部９が備える後述する共通電極９３および各部分電極９１１間に電圧を印加または電流を供給する駆動手段として、電圧を印加する電圧印加手段（電界発生手段）４を有している。ローラ８１、８２と、ローラ８３、８４とにより、表示シート２は、右側から左側に移動し、ヘッド部９および電圧印加手段４により、表示シート２への画像の書き込みがなされる。
【００３９】
ローラ８１、８２の少なくとも表面は、実質的に導電性を有する材料で構成されている。この材料としては、例えば、後述する共通電極９３の構成材料と同様のものを用いることができる。この１対のローラ８１、８２は、１対のリセット電極として機能する。
ヘッド部９は、複数の電極ピン９１と、複数（電極ピン９１と同数）の有底筒状の支持部９２と、基台９４と、基台９４上に設けられたシート状（板状）の共通電極９３とを有している。なお、図４には、電極ピン９１および支持部９２は、それぞれ、２つ記載されている。また、図示の構成では、各支持部９２は、互いに離間しているが、これに限らず、互いに接触していてもよく、また、互いに固着されていてもよく、また、一体的に形成されていてもよい。
【００４０】
基台９４により、共通電極９３を介して表示シート２を支持（載置）する支持部が構成され、表示シート２への画像の書き込みは、基台９４に共通電極９３を介して表示シート２を載置した状態で行われる。
各電極ピン９１は、それぞれ、対応する支持部９２により、上下方向に移動可能（マイクロカプセル含有層３０に対して接近・離間可能）に支持（収納）されている。この電極ピン９１の先端部は、部分電極（個別電極）９１１を構成している。なお、電極ピン９１が支持部９２から離脱するのを阻止する図示しない離脱阻止手段が設けられている。
【００４１】
各電極ピン９１の形状は、特に限定されず、その先端面の形状としては、例えば、円形、楕円形や、三角形、四角形、５角形、６角形等の多角形等が挙げられる。
また、各支持部９２の内形形状は、電極ピン９１の外形形状に対応した形状をなしている。
前記電極ピン９１（部分電極９１１）は、本実施形態では、基台９４に支持（載置）された表示シート２の一端から他端に亘って線状（ライン状）に複数設けられており、電極ピン９１が並んでいる方向に対して垂直な方向（図４の紙面に対して垂直な方向）に表示シート２（マイクロカプセル含有層３０）が移動してマイクロカプセル含有層３０への画像の書き込みを行なうよう構成されている。これにより、１回の走査で、表示シート２全体への画像の書き込みを行なうことができる。
【００４２】
電極ピン９１は、１列に配列されていてもよく、また、複数列に配列されていてもよい。但し、電極ピン９１が設けられていない部分が少なくなるように、電極ピン９１を配置するのが好ましい。例えば、電極ピン９１の先端面の形状が円形の場合で、電極ピン９１を複数列に配列する場合は、隣り合う２つの列において、互いに半ピッチずらすのが好ましい。
【００４３】
電極ピン９１のピッチや先端面（下面）の面積等は、特に限定されず、目的等に合わせて適宜設定することができが、例えば、電極ピン９１のピッチは、０．０１〜２ｍｍ程度であるのが好ましく、０．０５〜１ｍｍ程度であるのがより好ましい。また、電極ピン９１の先端面の面積は、表示シート２の表示面２１の面積よりも十分に小さい面積であるのが好ましく、具体的には、０．００１〜０．１ｍｍ２程度であるのが好ましく、０．００３〜０．０５ｍｍ２程度であるのがより好ましい。
【００４４】
共通電極９３は、電極ピン９１に対応するように帯状をなしており、電極ピン９１の並んでいる方向に沿って、電極ピン９１の下方に配置されている。
この共通電極９３と各部分電極９１１との間で、それぞれ、マイクロカプセル含有層３０の一部の領域に電圧を印加することができる。なお、表示シート２のうちの部分電極９１１に対面している部位が、１画素となる。
【００４５】
電圧印加手段４は、共通電極９３および各部分電極９１１間に、それぞれ、共通電極９３側が正電位、部分電極９１１側が負電位となるような電界を発生させることのできる電圧と、反対に、共通電極９３側が負電位、部分電極９１１側が正電位となるような電界を発生させることのできる電圧とを印加することができるよう構成されている。
また、各支持部９２の内部の基端部には、電極ピン９１（部分電極９１１）を第２の位置に向けて付勢する付勢手段として、永久磁石１６が設置されている。この永久磁石１６の磁力で電極ピン９１が永久磁石１６に吸着することより、電極ピン９１を第２の位置に保持することができる。
【００４６】
また、書き込み装置８は、シリンダ１１１およびピストン１１２を有するポンプ１１と、ポンプ１１に接続された送管（管体）１２とを有している。
送管１２の途中には、その送管１２の内腔と各支持部９２の内部とが連通するように、それぞれ、分岐管（管体）１３を介して、各支持部９２が接続されている。各分岐管１３の基端部には、それぞれ、その分岐管１３の流路を開閉する流路開閉手段として、電磁弁（弁）１４が設置されている。
【００４７】
ポンプ１１内、送管１２内、各分岐管１３内等には、本実施形態では、作動流体（流体）として、空気（気体）が収納されている。また、これらの空間や、各支持部９２の内部は、密閉されている（気密性が保持されている）。
ポンプ１１は、送管１２の左側の端部に接続され、送管１２の右側の端部には、圧力センサ（圧力検出手段）１５が設置さされている。この圧力センサ１５により、送管１２内の圧力（流体圧）を検出することができる。
【００４８】
前記ポンプ１１、送管１２、各分岐管１３、各支持部９２、各電磁弁１４および各永久磁石１６により、移動手段の主要部が構成され、この移動手段により、各電極ピン９１は、それぞれ、その部分電極９１１が表示層３に接触（好ましくは、圧着）した第１の位置と、部分電極９１１が表示層３から上方に離間した第２の位置とに移動することができる。
【００４９】
ここで、電極ピン９１が第１の位置に位置しているときは、電圧印加手段４により、共通電極９３および部分電極９１１間に電圧を印加することで、マイクロカプセル３１に十分な大きさの電界が作用し、表示シート２へ画像を書き込むことができる。一方、電極ピン９１が第２の位置に位置しているときは、電圧印加手段４により、共通電極９３および部分電極９１１間に電圧を印加しても、マイクロカプセル３１には十分な大きさの電界が作用せず、表示シート２へ画像を書き込むことはできない。
【００５０】
共通電極９３の構成材料としては、実質的に導電性を有するものであれば特に限定されず、例えば、銅、アルミニウムまたはこれらを含む合金等の金属材料、カーボンブラック等の炭素系材料、ポリアセチレン、ポリフルオレンまたはこれらの誘導体等の電子導電性高分子材料、ポリビニルアルコール、ポリカーボネート等のマトリックス樹脂中に、ＮａＣｌ、Ｃｕ（ＣＦ３ＳＯ３）２等のイオン性物質を分散させたイオン導電性高分子材料、インジウム酸化物（ＩＯ）等の導電性酸化物材料のような各種導電性材料が挙げられ、これらのうちの１種または２種以上を組み合わせて用いることができる。
電極ピン９１（部分電極９１１）の構成材料としては、実質的に導電性を有する磁性材料であれば特に限定されず、例えば、鉄、銅、コバルト、ニッケルまたはこれらを含む合金等の金属材料（金属磁性材料）が挙げられ、これらのうちの１種または２種以上を組み合わせて用いることができる。
【００５１】
−表示シート２の作動−
次に、図３に基づいて、表示シート２の作動（表示色の切り替え）について説明する。なお、各マイクロカプセル３１は同様の構成であるため、以下では、説明の便宜上、３つのマイクロカプセル３１について代表して説明し、その他のマイクロカプセル３１については、その説明を省略する。
また、図３は、表示シート２が、その下側絶縁層３６が共通電極９３側を向き、基台９４上に支持され、かつ、電極ピン９１が、第１の位置に位置し、その先端部の部分電極９１１が、表示シート２の表示面２１に密着した状態を示している。
【００５２】
≪白色表示状態≫
まず、表示面２１に白色が表示される状態について説明する。
電圧印加手段４により、１対の電極を構成する共通電極９３および部分電極９１１間に、共通電極９３側が正電位、部分電極９１１側が負電位となるような電圧を印加し、共通電極９３側が正電位、部分電極９１１側が負電位の電界を発生させる。
【００５３】
この電界がマイクロカプセル３１に作用すると、正帯電粒子Ａは、負電位となっている部分電極９１１側に向けて泳動し、負帯電粒子Ｂは、正電位となっている共通電極９３側に向けて泳動する。
このような正帯電粒子Ａ、負帯電粒子Ｂの泳動により、図３（ａ）に示すように、正帯電粒子Ａが部分電極９１１側に偏在するとともに、負帯電粒子Ｂが共通電極９３側に偏在することとなる。このようにして、表示面２１に正帯電粒子Ａの色（白色）が表示される白色表示状態となる。
【００５４】
≪黒色表示状態≫
次いで、表示面２１に黒色が表示される状態について説明する。
電圧印加手段４より、共通電極９３および部分電極９１１間に共通電極９３側が負電位、部分電極９１１側が正電位となるような電圧を印加し、共通電極９３側が負電位、部分電極９１１側が正電位の電界を発生させる。
【００５５】
この電界がマイクロカプセル３１に作用すると、負帯電粒子Ｂは、正電位となっている部分電極９１１側に向けて泳動し、正帯電粒子Ａは、負電位となっている共通電極９３側に向けて泳動する。
このような正帯電粒子Ａ、負帯電粒子Ｂの泳動により、図３（ｂ）に示すように、負帯電粒子Ｂが部分電極９１１側に偏在するとともに、正帯電粒子Ａが共通電極９３側に偏在することとなる。このようにして、表示面２１に負帯電粒子Ｂの色（黒色）が表示される黒色表示状態となる。
このような構成において、白色粒子Ａおよび黒色粒子Ｂの泳動をマイクロカプセル３１ごとに選択することによって、表示シート２の表示面２１に、正帯電粒子Ａおよび負帯電粒子Ｂによる反射光に基づいて、所望の情報（画像）を表示することができる。
【００５６】
−書き込み装置８の作動−
次に、図１、図４および図５に基づいて、書き込み装置８の作動について説明する。なお、各電極ピン９１は同様の構成であるため、以下では、説明の便宜上、２つの電極ピン９１について代表して説明し、その他の電極ピン９１については、その説明を省略する。
この書き込み装置８の作動の制御は、図示しない制御手段の制御により行なわれる。
【００５７】
まず、ヘッド部９は、初期状態においては、図５に示すように、各電極ピン９１が、永久磁石１６の磁力によりその永久磁石１６に吸着し、第２の位置に位置している。
そして、図１に示すように、表示シート２は、ローラ８１、８２により、右側から左側に移動する。そして、表示シート２がローラ８１とローラ８２との間を通過する際、電圧印加手段４により、ローラ８１および８２間に、ローラ８２側が正電位、ローラ８１側が負電位となるような電圧を印加し、ローラ８２側が正電位、ローラ８１側が負電位の電界を発生させる。これにより、表示面２１の全面を白色とすることができる。または、ローラ８１および８２間に、ローラ８２側が負電位、ローラ８１側が正電位となるような電圧を印加し、ローラ８２側が負電位、ローラ８１側が正電位の電界を発生させる。これにより、表示面２１の全面を黒色とすることができる。このようにして、表示シート２の表示がリセットされる。
【００５８】
次に、表示シート２の図１中の左側の端部が、共通電極９３と電極ピン９１との間に位置すると、ローラ８１、８２の作動が停止し、表示シート２は、停止して、共通電極９３を介して基台９４に支持される。この場合、共通電極９３は、表示シート２（表示層３）の下方（一方側）に位置し、各電極ピン９１（部分電極９１１）は、表示シート２（表示層３）の上方（他方側）に位置する。
【００５９】
次に、図４に示すように、書き込みを行なう（図示の構成では右側の）電極ピン９１に対応する電磁弁１４を開き、書き込みを行なわない（図示の構成では左側の）電極ピン９１に対応する電磁弁１４を閉じ、ポンプ１１のピストンを右側に移動させ、送管１２内の圧力を増加させる。この際、圧力センサ１５により、送管１２内の圧力を検出し、その検出値（検出結果）に基づいて、送管１２内の圧力が目標値（目標圧力）になるように、ピストンの位置を制御する。この圧力の目標値は、電極ピン９１を永久磁石１６の磁力に抗して下方に移動させることができ、かつ、部分電極９１１を表示シート２の表示面２１（表示層３）に圧接（密着）させることができる程度の大きさとされる。具体的には、送管１２内の圧力の目標値は、０．２〜１ＭＰａ程度が好ましく、０．５〜０．８ＭＰａ程度がより好ましい。
【００６０】
この送管１２内の空気圧（流体圧）により、書き込みを行なう電極ピン９１は、表示面２１（表示層３）に押し付けられる。すなわち、前記空気圧（流体圧）により、書き込みを行なう電極ピン９１は、永久磁石１６の磁力に抗して、下方、すなわち第１の位置に移動し、その部分電極９１１が表示シート２の表示面２１（表示層３）に圧接（密着）する。
【００６１】
なお、特に、表示シート２が上側絶縁層３５を有していないときは、マイクロカプセル３１の大きさにバラツキがある場合、大きいマイクロカプセル３１は、部分電極９１１と共通電極９３とで挟まれて潰れ、小さいマイクロカプセル３１が部分電極９１１に接触することができる。これにより、大きいマイクロカプセル３１と小さいマイクロカプセル３１とに均等に電界を作用させることができ、表示シート２の書き込みが必要な部位のみに確実に書き込むことができる。
【００６２】
次に、前述したように、電圧印加手段４により、共通電極９３および書き込みを行なう部分電極９１１間に電圧を印加し、電界を発生させる。これにより、前述したように、正帯電粒子Ａおよび負帯電粒子Ｂが、それぞれ、所定方向に移動し、画像が書き込まれる（表示がなされる）。この場合、図示しないトランジスタ等のスイッチング素子が所定箇所にそれぞれ設けられており、各スイッチング素子のオン／オフを制御することにより、電圧を印加する部分電極９１１を選択することができるようになっている。
【００６３】
なお、ここでは、共通電極９３およびすべての部分電極９１１間に電圧を印加してもよく、また、表示シート２への画像の書き込み開始時から表示シート２全体への画像の書き込み終了時まで継続して（連続的に）電圧を印加してもよい。その理由は、前述したように、共通電極９３および第２の位置に位置している部分電極９１１間に電圧を印加しても、マイクロカプセル３１には十分な大きさの電界が作用せず、表示シート２へ画像を書き込むことはできないためである。
【００６４】
次に、ポンプ１１のピストンを左側に移動させ、送管１２内の圧力を減少させる。この際、圧力センサ１５により、送管１２内の圧力を検出し、その検出値（検出結果）に基づいて、送管１２内の圧力が、例えば、大気圧等の目標値（目標圧力）になるように、ピストンの位置を制御する。
これより、第１の位置に位置している電極ピン９１は、永久磁石１６の磁力により、上方、すなわち第２の位置に移動し、その永久磁石１６に吸着する。これによって、ヘッド部９は、初期状態に戻る。
【００６５】
次に、ローラ８１、８２により、表示シート２を図１中左側に所定量移動させ、以降、前記と同様にして、表示シート２への画像の書き込みを行なう。そして、表示シート２の図１中の右側の端部まで画像の書き込みがなされると、表示シート２全体への画像の書き込みが完了する。
次に、ローラ８３、８４により、表示シート２を図１中左側、すなわち、表示シート２の取り出し位置まで移動させる。これより、表示シート２を書き込み装置８から取り出すことができる。
【００６６】
以上説明したように、この電気泳動表示装置１によれば、表示シート２のみを書き込み装置８から取り出す（取り外す）ことができ、表示シート２を単独で取り扱うことができる。
また、書き込みを行なう電極ピン９１は、一定の空気圧で表示面２１（表示層３）に押し付けられ、その部分電極９１１が表示シート２の表示面２１に圧接するので、表示シート２の書き込みが必要な部位のみに確実に書き込むことができる。
【００６７】
また、表示シート２において、マイクロカプセル含有層３０の表示面２１側に上側絶縁層３５しか設けられていないため、透明電極を配置している従来の構成と比較して光の減衰が低減され、高い表示コントラストを発揮することができる。
また、ローラ８１〜８４の制御により、部分電極９１１に対する表示シート２の位置合せを容易に行なうことができる。
【００６８】
なお、本実施形態では、電極ピン（部分電極）は、線状に設けられているが、これに限らず、例えば、行列状に設けられていてもよい。この場合、部分電極は、表示層の全面に対面するようになっていてもよく、また、一部の領域に対面するようになっていてもよい。
また、本実施形態では、電極ピンは、複数設けられているが、１つのみ設けられていてもよい。
また、本実施形態では、流体として、気体を用いているが、これに限らず、例えば、液体を用いてもよい。
【００６９】
≪第２実施形態≫
次に、本発明の表示装置（電気泳動表示装置）の第２実施形態について説明する。
図６は、本発明の表示装置の第２実施形態における主要部を模式的に示す断面図である。なお、以下では、説明の都合上、図６中の上側を「上」または「基端」、下側を「下」または「先端」、右側を「右」、左側を「左」として説明を行う。また、図６では、図が煩雑になるのを避けるため、電極ピンは、２つ記載されており、また、表示シートの上絶縁層および下絶縁層は、図示されていない。
【００７０】
以下、第２実施形態について説明するが、前記第１実施形態との相違点を中心に説明し、同様の事項については、その説明を省略する。
図６に示すように、本実施形態の電気泳動表示装置１では、書き込み装置８は、ポンプ１１に替えて、コンプレッサ１７を有している。そして、コンプレッサ１７と最も左側の分岐管１３との間の送管１２の途中に、その送管１２の流路を開閉する流路開閉手段として、電磁弁（弁）１８が設置されている。
【００７１】
コンプレッサ１７から送管１２には、圧縮空気が供給される。このコンプレッサ１７の出力は、送管１２内の圧力が目標値になるように調整される。
また、各支持部９２の基端部には、それぞれ、外部に連通する開口が形成されており、その開口を開閉する開閉手段として、電磁弁（リーク弁）１９が設置されている。
【００７２】
各電磁弁（第１の弁）１４は、圧縮空気（流体）を支持部９２内（電極ピン９１側）に導入するための弁であり、各電磁弁（第２の弁）１９は、圧縮空気（流体）を支持部９２内（電極ピン９１側）から外部に排出するためのリーク弁である。各支持部９２では、電磁弁１４と電磁弁１９とが連動するようになっている。すなわち、電磁弁１４と電磁弁１９の一方が開いているときは、他方が閉じるように構成されている。
【００７３】
次に、書き込み装置８の作動について説明する。
書き込みを行なう（図示の構成では右側の）電極ピン９１に対応する電磁弁１４を開き、電磁弁１９を閉じ、書き込みを行なわない（図示の構成では左側の）電極ピン９１に対応する電磁弁１４を閉じ、電磁弁１９を開く。
これにより、送管１２内の空気圧（流体圧）により、書き込みを行なう電極ピン９１は、永久磁石１６の磁力に抗して、下方、すなわち第１の位置に移動し、その部分電極９１１が表示シート２の表示面２１（表示層３）に圧接（密着）する。
そして、書き込みを行なった電極ピン９１に対応する電磁弁１４を閉じ、電磁弁１９を開くと、対応する支持部９２内の空気が外部に排出され、その支持部９２内の圧力が減少し、これより、第１の位置に位置している電極ピン９１は、永久磁石１６の磁力により、上方、すなわち第２の位置に移動し、その永久磁石１６に吸着する。
【００７４】
≪第３実施形態≫
次に、本発明の表示装置（電気泳動表示装置）の第３実施形態について説明する。
図７は、本発明の表示装置の第３実施形態における主要部を模式的に示す断面図である。なお、以下では、説明の都合上、図７中の上側を「上」または「基端」、下側を「下」または「先端」、右側を「右」、左側を「左」として説明を行う。また、図７では、図が煩雑になるのを避けるため、電極ピンは、２つ記載されており、また、表示シートの上絶縁層および下絶縁層は、図示されていない。
【００７５】
以下、第３実施形態について説明するが、前記第２実施形態との相違点を中心に説明し、同様の事項については、その説明を省略する。
図７に示すように、本実施形態の電気泳動表示装置１の書き込み装置８では、各支持部９２の内部は、密閉されていない。すなわち、各支持部９２と各電極ピン９１とは間には、それぞれ、微小な隙間が形成されている。また、各支持部９２には、外部に連通する開口は形成されておらず、電磁弁１９も設置されていない。
【００７６】
次に、書き込み装置８の作動について説明する。
書き込みを行なう（図示の構成では右側の）電極ピン９１に対応する電磁弁１４を開き、書き込みを行なわない（図示の構成では左側の）電極ピン９１に対応する電磁弁１４を閉じる。
これにより、送管１２内の空気圧（流体圧）により、書き込みを行なう電極ピン９１は、永久磁石１６の磁力に抗して、下方、すなわち第１の位置に移動し、その部分電極９１１が表示シート２の表示面２１（表示層３）に圧接（密着）する。
【００７７】
そして、書き込みを行なった電極ピン９１に対応する電磁弁１４を閉じると、対応する支持部９２内の空気が、支持部９２と電極ピン９１との間の隙間から外部に排出され、その支持部９２内の圧力が減少し、これより、第１の位置に位置している電極ピン９１は、永久磁石１６の磁力により、上方、すなわち第２の位置に移動し、その永久磁石１６に吸着する。
【００７８】
≪第４実施形態≫
次に、本発明の表示装置（電気泳動表示装置）の第４実施形態について説明する。
図８は、本発明の表示装置の第４実施形態における主要部を模式的に示す断面図である。なお、以下では、説明の都合上、図８中の上側を「上」または「基端」、下側を「下」または「先端」、右側を「右」、左側を「左」として説明を行う。また、図８では、図が煩雑になるのを避けるため、電極ピンは、２つ記載されており、また、表示シートの上絶縁層および下絶縁層は、図示されていない。
【００７９】
以下、第４実施形態について説明するが、前記第２実施形態との相違点を中心に説明し、同様の事項については、その説明を省略する。
図８に示すように、本実施形態の電気泳動表示装置１の書き込み装置８では、各支持部９２内部の基端部に、電磁石５１（コイルは図示せず）が設置されている。この電磁石５１の磁力は、第１の位置に位置している電極ピン９１を、送管１２内の空気圧（流体圧）に抗して上方に移動させることができる程度の大きさに設定される。
【００８０】
また、各電極ピン９１には、図示しないコイルが巻回され、その電極ピン９１とコイルとで電磁石を構成している。
また、書き込み装置８は、各電磁石５１のコイルおよび各電極ピン９１に巻回されたコイルに通電する通電手段５２を有している。この場合、図示しないトランジスタ等のスイッチング素子が所定箇所にそれぞれ設けられており、各スイッチング素子のオン／オフを制御することにより、通電するコイルを選択することができるようになっている。
また、各支持部９２には、外部に連通する開口は形成されておらず、電磁弁１９も設置されていない。また、各分岐管１３には、電磁弁１４は設置されていない。
【００８１】
次に、書き込み装置８の作動について説明する。
各電磁石５１のコイルに通電した状態では、各電極ピン９１は、各電磁石５１の磁力により、その電磁石５１に吸着し、第２の位置に位置している。
書き込みを行なう（図示の構成では右側の）電極ピン９１に巻回されているコイルに、その電極ピン９１の上面の極性が電磁石５１の下側の極性と同極となるように通電すると、電極ピン９１と電磁石５１との間に斥力が生じ、電極ピン９１は、電磁石５１から瞬時に離間する。
【００８２】
そして、送管１２内の空気圧（流体圧）により、書き込みを行なう電極ピン９１は、下方、すなわち第１の位置に移動し、その部分電極９１１が表示シート２の表示面２１（表示層３）に圧接（密着）する。
そして、書き込みを行なった電極ピン９１に巻回されているコイルへの通電を停止すると、第１の位置に位置している電極ピン９１は、電磁石５１の磁力により、上方、すなわち第２の位置に移動し、その電磁石５１に吸着する。
【００８３】
次に、本発明の表示装置（電気泳動表示装置）の第５実施形態について説明する。
図９は、本発明の表示装置の第５実施形態における主要部を模式的に示す断面図である。なお、以下では、説明の都合上、図９中の上側を「上」または「基端」、下側を「下」または「先端」、右側を「右」、左側を「左」として説明を行う。また、図９では、図が煩雑になるのを避けるため、電極ピンは、２つ記載されており、また、表示シートの上絶縁層および下絶縁層は、図示されていない。
【００８４】
以下、第５実施形態について説明するが、前記第２実施形態との相違点を中心に説明し、同様の事項については、その説明を省略する。
図９に示すように、本実施形態の電気泳動表示装置１の書き込み装置８では、各支持部９２内部の基端部に、電磁石５１（コイルは図示せず）が設置されている。この電磁石５１の磁力は、第１の位置に位置している電極ピン９１を、送管１２内の空気圧（流体圧）に抗して上方に移動させることができる程度の大きさに設定される。
【００８５】
また、書き込み装置８は、各電磁石５１のコイルに通電する通電手段５２を有している。この場合、図示しないトランジスタ等のスイッチング素子が所定箇所にそれぞれ設けられており、各スイッチング素子のオン／オフを制御することにより、通電するコイルを選択することができるようになっている。
また、各支持部９２には、外部に連通する開口は形成されておらず、電磁弁１９も設置されていない。また、各分岐管１３には、電磁弁１４は設置されていない。
【００８６】
次に、書き込み装置８の作動について説明する。
各電磁石５１のコイルに通電した状態では、各電極ピン９１は、各電磁石５１の磁力により、その電磁石５１に吸着し、第２の位置に位置している。
書き込みを行なう（図示の構成では右側の）電極ピン９１に対応する電磁石５１のコイルへの通電を停止すると、その電磁石５１の磁力が消失し、送管１２内の空気圧（流体圧）により、書き込みを行なう電極ピン９１は、下方、すなわち第１の位置に移動し、その部分電極９１１が表示シート２の表示面２１（表示層３）に圧接（密着）する。
そして、書き込みを行なった電極ピン９１に対応する電磁石５１のコイルへ再び通電すると、第１の位置に位置している電極ピン９１は、電磁石５１の磁力により、上方、すなわち第２の位置に移動し、その電磁石５１に吸着する。
【００８７】
≪第６実施形態≫
次に、本発明の表示装置（電気泳動表示装置）の第６実施形態について説明する。
図１０は、本発明の表示装置の第６実施形態における表示シートの断面図である。
以下、第６実施形態について説明するが、前記第１実施形態との相違点を中心に説明し、同様の事項については、その説明を省略する。
【００８８】
第６実施形態の電気泳動表示装置は、共通電極の配置が異なる以外は、前記第１実施形態と同様である。
図１０に示すように、本実施形態の電気泳動表示装置１においては、共通電極９３は、書き込み装置８の基台９４ではなく、表示シート２に設けられている。より具体的には、共通電極９３は、下側絶縁層３６の下面（表示層３の一方側）に、マイクロカプセル含有層３０の全域を包含するように設けられている。
【００８９】
≪第７実施形態≫
次に、本発明の表示装置（電気泳動表示装置）の第７実施形態について説明する。
図１１は、本発明の表示装置の第７実施形態における表示シートの断面図である。
以下、第７実施形態について説明するが、前記第１実施形態との相違点を中心に説明し、同様の事項については、その説明を省略する。
第７実施形態の電気泳動表示装置は、表示シートが備える表示層の構成が異なる以外は、前記第１実施形態と同様である。
【００９０】
図１１に示すように、本実施形態の電気泳動表示装置１では、表示シート２において、マイクロカプセル含有層３０に替えて帯電粒子含有層３７が設けられている。帯電粒子含有層３７は、上側絶縁層３５および下側絶縁層３６の間の空間を区画する隔壁３３を有している。この隔壁３３は、例えば、表示シート２の平面視にて、格子状、ハニカム状をなしている。
すなわち、帯電粒子含有層３７は、隔壁３３、上側絶縁層３５および下側絶縁層３６で画成された複数の収容部３４を有しており、この各収容部３４に、正帯電粒子Ａと、負帯電粒子Ｂとを液相分散媒６に分散（懸濁）してなる電気泳動分散液が充填されている。
【００９１】
以上のような表示装置は、各種電子機器に組み込むことができる。前記電子機器としては、例えば、電子ペーパー、ディスプレイ、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネルを備えた機器等を挙げることができ、これらの各種電子機器の表示部等に、本発明の表示装置を適用することが可能である。
【００９２】
以上、本発明の表示装置および電子機器を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
また、本発明は、前記各実施形態のうちの、任意の２以上の構成（特徴）を組み合わせたものであってもよい。
【００９３】
また、前述した第実施形態では、表示シートと書き込み装置とが別体として構成されているものについて説明したが、これに限定されず、表示シートと書き込み装置とが一体的に（１つの装置として）構成されていてもよい。
また、前述した実施形態では、本発明の表示装置を電気泳動表示装置に適用した場合について説明したが、これに限定されず、例えば、液相分散媒を省略し、マイクロカプセルの内部に帯電粒子および気体（例えば、空気等）を封入したものや、ＥＣＤ（エレクトロクロミックディスプレイ）等、他の方式の表示装置にも適用することができる。なお、ＥＣＤでは、共通電極および部分電極間に電流を供給することにより、表示層が酸化または還元し、これにより表示を行なうことができる。
また、前述した実施形態では、マイクロカプセル内に正帯電粒子と負帯電粒子とが封入されたものについて説明したが、これに限定されず、正帯電粒子および負帯電粒子のいずれか一方のみが封入されているものであってもよい。
【図面の簡単な説明】
【００９４】
【図１】本発明の表示装置（電気泳動表示装置）の第１実施形態を模式的に示す側面図である。
【図２】図１に示す表示装置の表示シートの断面図である。
【図３】図１に示す表示シートの作動を説明するための図である。
【図４】図１に示す表示装置の書き込み装置の主要部を示す断面図である。
【図５】図１に示す表示装置の書き込み装置の作動を説明するための図である。
【図６】本発明の表示装置の第２実施形態における主要部を模式的に示す断面図である。
【図７】本発明の表示装置の第３実施形態における主要部を模式的に示す断面図である。
【図８】本発明の表示装置の第４実施形態における主要部を模式的に示す断面図である。
【図９】本発明の表示装置の第５実施形態における主要部を模式的に示す断面図である。
【図１０】本発明の表示装置の第６実施形態における表示シートの断面図である。
【図１１】本発明の表示装置の第７実施形態における表示シートの断面図である。
【符号の説明】
【００９５】
１……電気泳動表示装置（表示装置）  ２……表示シート  ２１……表示面  ３……表示層  ３０……マイクロカプセル含有層  ３１……マイクロカプセル  ３１１……カプセル本体（殻体）  ３２……バインダ  ３３……隔壁  ３４……収容部  ３５……上側絶縁層  ３６……下側絶縁層  ３７……帯電粒子含有層  ４……電圧印加手段  ５１……電磁石  ５２……通電手段  ６……液相分散媒  ７……封止部  ８……書き込み装置  ８１〜８４……ローラ  ９……ヘッド部  ９１……電極ピン  ９１１……部分電極  ９２……支持部  ９３……共通電極  ９４……基台  １１……ポンプ  １１１……シリンダ  １１２……ピストン  １２……送管  １３……分岐管  １４……電磁弁  １５……圧力センサ  １６……永久磁石  １７……コンプレッサ  １８、１９……電磁弁  Ａ……正帯電粒子  Ｂ……負帯電粒子
【図１】
2010102127.tif 000003
【図２】
2010102127.tif 000004
【図３】
2010102127.tif 000005
【図４】
2010102127.tif 000006
【図５】
2010102127.tif 000007
【図６】
2010102127.tif 000008
【図７】
2010102127.tif 000009
【図８】
2010102127.tif 000010
【図９】
2010102127.tif 000011
【図１０】
2010102127.tif 000012
【図１１】
2010102127.tif 000013